(57)【要約】【課題】撮像レンズに応じて、像面収差等が十分に抑えられる撮像素子の曲率の適値を得ることができる技術を提供する。【解決手段】撮像装置１００は、カメラユニット１０と画像処理ユニット２０を備える。画像処理ユニット２０は、画像入力部２３、画像処理部２４、画像処理用制御部２６及び信号入出力部２５を備える。画像処理用制御部２６は、画像入力部２３に推定用撮像画像が入力されると、基準領域と外周部に位置する判断領域毎に、判断領域に投影した基準画像３０にかかる撮像画像と、撮像素子１８の中心部に位置する基準領域に投影した基準画像３０にかかる撮像画像と、の類似度を画像処理部２４に算出させる。画像処理用制御部２６は、判断領域毎に算出した類似度に基づいて撮像素子１８の曲率が適正でないと判定した場合に、判断領域毎に算出した類似度に基づいて曲率の補正値を算出して、信号入出力部２５を介してカメラユニット１０に出力する。【選択図】  図３
2014135660.tif 000002
【特許請求の範囲】
【請求項１】
撮像レンズを通して画像を投影する撮像素子の曲率を変化させる機構部を有するカメラユニットが撮像した推定用撮像画像であって、前記撮像素子の中心部に位置する基準領域、及び外周部に位置する複数の判断領域のそれぞれに基準画像を投影したときの推定用撮像画像を処理して、前記撮像レンズに対する前記撮像素子の曲率の適値を得る画像処理ユニットであって、
前記カメラユニットが撮像した前記推定用撮像画像を入力する画像入力部と、
前記画像入力部に入力された前記推定用撮像画像における前記判断領域毎に、その判断領域に投影した前記基準画像にかかる撮像画像と、前記基準領域に投影した前記基準画像にかかる撮像画像と、の類似度を算出する画像処理部と、
前記画像処理部が前記判断領域毎に算出した類似度に基づいて、前記撮像レンズに対する前記撮像素子の曲率が適正であるかどうかを判定する判定部と、
前記判定部が前記撮像レンズに対する前記撮像素子の曲率が適正でないと判定したときに、前記画像処理部が前記判断領域毎に算出した類似度に基づいて、前記撮像素子に対する曲率の補正値を算出する補正値算出部と、
前記補正値算出部が算出した前記撮像素子に対する曲率の補正値を前記カメラユニットに出力する出力部と、を備えた画像処理ユニット。
【請求項２】
前記判定部が前記撮像レンズに対する前記撮像素子の曲率が適正であると判定したときに、前記撮像レンズの種類を示す識別情報と、この時点における前記撮像素子の曲率と、を対応付けて記憶する記憶部を備えた請求項１に記載の画像処理ユニット。
【請求項３】
前記判定部は、前記画像処理部が算出した類似度が予め定めた閾値に達していない前記判断領域の総数が、所定数を超える場合に、前記撮像レンズに対する前記撮像素子の曲率が適正でないと判定する、請求項１、又は２に記載の画像処理ユニット。
【請求項４】
撮像レンズを通して画像を投影する撮像素子の曲率を変化させる機構部を有するカメラユニットと、
前記カメラユニットが撮像した、前記撮像素子の中心部に位置する基準領域、及び外周部に位置する複数の判断領域のそれぞれに基準画像を投影したときの推定用撮像画像を入力する画像入力部、
前記画像入力部に入力された前記推定用撮像画像における前記判断領域毎に、その判断領域に投影した前記基準画像にかかる撮像画像と、前記基準領域に投影した前記基準画像にかかる撮像画像と、の類似度を算出する画像処理部、
前記画像処理部が前記判断領域毎に算出した類似度に基づいて、前記撮像レンズに対する前記撮像素子の曲率が適正であるかどうかを判定する判定部、
前記判定部が前記撮像レンズに対する前記撮像素子の曲率が適正でないと判定したときに、前記画像処理部が前記判断領域毎に算出した類似度に基づいて、前記撮像素子に対する曲率の補正値を算出する補正値算出部、及び、
前記補正値算出部が算出した前記撮像素子に対する曲率の補正値を前記カメラユニットに出力する出力部、を有する画像処理ユニットと、
を備えた撮像装置。
【請求項５】
前記画像処理ユニットは、
前記判定部が前記撮像レンズに対する前記撮像素子の曲率が適正であると判定したときに、前記撮像レンズの種類を示す識別情報と、この時点における前記撮像素子の曲率と、を対応付けて記憶する記憶部を有し、
前記出力部は、前記カメラユニットから前記撮像レンズに対する前記撮像素子の曲率の通知が要求されたときに、前記記憶部に記憶している該当する撮像レンズに対する前記撮像素子の曲率を前記カメラユニットに出力する、
請求項４に記載の撮像装置。
【請求項６】
撮像レンズを通して画像を投影する撮像素子の曲率を変化させる機構部を有するカメラユニットが撮像した撮像画像であって、前記撮像素子の中心部に位置する基準領域、及び外周部に位置する複数の判断領域のそれぞれに基準画像を投影したときの推定用撮像画像を処理して、前記撮像レンズに対する前記撮像素子の曲率の適値を得る画像処理方法であって、
画像入力部に入力された前記推定用撮像画像における前記判断領域毎に、その判断領域に投影した前記基準画像にかかる撮像画像と、前記基準領域に投影した前記基準画像にかかる撮像画像と、の類似度を算出する画像処理ステップと、
前記画像処理ステップにおいて、前記判断領域毎に算出した類似度に基づいて、前記撮像レンズに対する前記撮像素子の曲率が適正であるかどうかを判定する判定ステップと、
前記判定ステップにおいて、前記撮像レンズに対する前記撮像素子の曲率が適正でないと判定したときに、前記画像処理ステップにおいて前記判断領域毎に算出した類似度に基づいて、前記撮像素子に対する曲率の補正値を算出する補正値算出ステップと、
前記補正値算出ステップにおいて算出した前記撮像素子に対する曲率の補正値を前記カメラユニットに出力する出力ステップと、を実行する画像処理方法。
【発明の詳細な説明】
【技術分野】
【０００１】
この発明は、撮像レンズに対する撮像素子の曲率の適値を得る技術に関する。
【背景技術】
【０００２】
ディジタルカメラと呼ばれる撮像装置は、ＣＣＤやＣＭＯＳ等の撮像素子を用いている。ディジタルカメラは、撮像レンズ（以下、単にレンズと言う。）を通して撮像素子の撮像面に画像を投影することで、投影した画像を撮像する。
【０００３】
撮像素子の撮像面に投影される画像は、レンズの像面収差等によって、撮像面の中心部と周辺部とにおいてピントが合う距離（レンズの中心と撮像面との距離）が異なる。したがって、撮像面の中心部にピントを合わせると、周辺部に投影した画像にボケが生じる。反対に、撮像面の周辺部にピントを合わせると、中心部に投影した画像にボケが生じる。
【０００４】
この像面収差等を抑える方法として、撮像素子の撮像面を湾曲させることが提案されている（例えば、特許文献１参照。）。
【先行技術文献】
【特許文献】
【０００５】
【特許文献１】特開２０１２−１８２１９４号公報
【発明の概要】
【発明が解決しようとする課題】
【０００６】
しかしながら、撮像素子の撮像面全体において、レンズ中心からの距離がピント合う距離になる曲率で撮像面を湾曲させても、レンズの特性や撮像素子の撮像面の平面特性等の影響で、像面収差等が十分に抑えられないことがある。
【０００７】
この発明の目的は、撮像レンズに応じて、像面収差等が十分に抑えられる撮像素子の曲率の適値を得ることができる技術を提供することにある。
【０００８】
また、この発明は、使用する撮像レンズの種類に関係なく、像面収差等を十分に抑えた撮像画像を得ることができる技術を提供することにある。
【課題を解決するための手段】
【０００９】
この発明の画像処理ユニットは、画像入力部、画像処理部、判定部、補正値算出部、及び出力部を備える。画像処理ユニットは、カメラユニットが撮像した推定用撮像画像を処理して、撮像レンズに対する撮像素子の曲率の適値を得る。カメラユニットは、撮像レンズを通して画像を投影する撮像素子の曲率を変化させる機構部を有する。推定用撮像画像は、撮像素子の中心部に位置する基準領域、及び外周部に位置する複数の判断領域のそれぞれに基準画像を投影したものである。画像入力部は、カメラユニットが撮像した推定用撮像画像を入力する。画像処理部は、画像入力部に入力された推定用撮像画像における判断領域毎に、その判断領域に投影した基準画像にかかる撮像画像と、基準領域に投影した基準画像にかかる撮像画像と、の類似度を算出する。判定部は、画像処理部が判断領域毎に算出した類似度に基づいて、撮像レンズに対する撮像素子の曲率が適正であるかどうかを判定する。補正値算出部は、判定部が撮像レンズに対する撮像素子の曲率が適正でないと判定したときに、画像処理部が判断領域毎に算出した類似度に基づいて、撮像素子に対する曲率の補正値を算出する。出力部は、補正値算出部が算出した撮像素子に対する曲率の補正値をカメラユニットに出力する。
【００１０】
画像処理ユニットには、カメラユニットによって実際に撮像された推定用撮像画像が入力される。推定用撮像画像は、撮像素子の中心部に位置する基準領域と、外周部に位置する複数の判断領域とのそれぞれに基準画像の少なくとも一部と、が含まれる。画像処理ユニットは、推定用撮像画像が入力されると、判断領域毎に算出された判断領域内の基準画像と基準領域内の基準画像との類似度に基づいて曲率が適正であると判定されるまで、判断領域毎に算出された類似度に基づいて曲率の補正値を繰り返し算出する。カメラユニットは、画像処理ユニットが算出した曲率の補正値で撮像素子を湾曲させて、推定用撮像画像を撮像して、画像処理ユニットへ出力する。
【００１１】
また、判定部が撮像レンズに対する撮像素子の曲率が適正であると判定したときに、撮像レンズの種類を示す識別情報と、この時点における撮像素子の曲率と、を対応付けて記憶する記憶部を備えることが好ましい。このようにすることで、画像処理ユニットは、同一種類の撮像レンズに対する曲率の適値を求める場合に、記憶部の記憶内容を参照することで、曲率の算出をせずに、即座に曲率の適値を得ることができる。
【００１２】
また、判定部は、例えば、画像処理部が算出した類似度が予め定めた閾値に達していない判断領域の総数が、所定数を超える場合に、撮像レンズに対する撮像素子の曲率が適正でないと判定してもよい。画像処理ユニットは、判断領域毎に算出した類似度が閾値に到達していない判断領域の総数が所定数を超えるか否かという簡単な処理で、撮像素子の曲率が適正であるか否かを判定部によって判定することができる。
【００１３】
この発明に係る撮像装置は、上述のカメラユニット、及び画像処理ユニットを備える。撮像装置は、画像処理ユニットによって撮像素子の曲率の適値を求めるため、使用する撮像レンズの種類に関係なく、像面収差等を十分に抑えた撮像画像を得ることができる。
【００１４】
この発明に係る画像処理方法は、上述の画像処理ユニットにおいて実行する処理手順である。この画像処理方法では、カメラユニットが装着している撮像レンズに応じて、像面収差等が十分に抑えられる撮像素子の曲率の適値を得ることができる。また、使用する撮像レンズの種類に関係なく、像面収差等を十分に抑えた撮像画像を得ることができる。
【発明の効果】
【００１５】
この発明によれば、撮像レンズに応じて、像面収差等が十分に抑えられる撮像素子の曲率の適値を得ることができる。また、使用する撮像レンズの種類に関係なく、像面収差等を十分に抑えた撮像画像を得ることができる。
【図面の簡単な説明】
【００１６】
【図１】この発明の画像処理ユニットを備える撮像装置のブロック図である。
【図２】（Ａ）は、同撮像装置のカメラユニットが備える撮像素子の曲率と圧電素子の押圧距離との関係を示し、（Ｂ）は、同カメラユニットが備える湾曲部１４の模式図である。
【図３】（Ａ）は、基準画像の一例であり、（Ｂ）は、同適値算出処理においてカメラユニットによって撮像された推定用撮像画像の一例である。
【図４】同画像処理ユニットの画像処理用制御部における適値算出処理のフローチャートである。
【図５】同カメラユニットのカメラ用制御部における適値算出処理のフローチャートである。
【図６】同画像処理用制御部におけるレンズ交換時のフローチャートである。
【発明を実施するための形態】
【００１７】
この発明に係る画像処理ユニットを備える撮像装置について、図を参照して説明する。図１に示すように、撮像装置１００は、カメラユニット１０と画像処理ユニット２０とを備え、カメラユニット１０が備える撮像素子１８（図２参照。）の曲率の適値を算出する。
【００１８】
カメラユニット１０は、撮像部１１、画像出力部１２、識別情報取得部１３、湾曲部（本発明の機構部に相当する。）１４、カメラ用記憶部１５、信号入出力部１６、及びカメラ用制御部１７を備える。なお、カメラユニット１０は、この画像処理ユニット２０に一体的に設けた構成であってもよいし、この画像処理ユニット２０とは別筐体であってもよい。カメラユニット１０は、画像処理ユニット２０とは別筐体である場合、画像処理ユニット２０にケーブルで接続される。
【００１９】
撮像部１１は、図２（Ａ）に示すように湾曲自在に構成されたＣＣＤやＣＭＯＳ等の撮像素子１８を備え、レンズ（この発明の撮像レンズに相当する。）１９を通して撮像素子１８の撮像面１８１に結像した撮像エリア内の画像を撮像する。撮像部１１は、例えば１秒間に１０〜３０フレーム程度の撮像画像を撮像する。
【００２０】
画像出力部１２は、データ線を介して接続されている画像処理ユニット２０の画像入力部２３に、撮像部１１が撮像した撮像画像を出力する。
【００２１】
識別情報取得部１３は、レンズ１９に付与された二次元コード等を読み取ることで、レンズ１９の種類を識別するための識別情報を取得する。
【００２２】
湾曲部１４は、図２（Ｂ）に示すように、撮像素子１８の外周部に配置された複数の圧電素子１４Ａ〜１４Ｈを制御し、圧電素子１４Ａ〜１４Ｈによって撮像素子１８の外周部を押圧することで、撮像素子１８を湾曲させる。湾曲部１４は、カメラ用記憶部１５の記憶内容を参照して、指定された曲率に対応付けられた圧電素子１４Ａ〜１４Ｈ毎の電圧を圧電素子１４Ａ〜１４Ｈに印加することで、圧電素子１４Ａ〜１４Ｈ毎の押圧距離Ｌだけ撮像素子１８を圧電素子１４Ａ〜１４Ｈによって押圧する。
【００２３】
カメラ用記憶部１５は、曲率と圧電素子１４Ａ〜１４Ｈのそれぞれに印加する電圧値とを対応付けて記憶する。
【００２４】
信号入出力部１６は、信号線を介して接続されている画像処理ユニット２０の信号入出力部２５と、撮像素子１８の曲率を示す曲率情報やレンズ１９の識別情報や制御信号等の各種信号を送受信する。
【００２５】
カメラ用制御部１７は、カメラユニット１０の各機能部を制御する。例えば、カメラ用制御部１７は、曲率情報が示す曲率で撮像素子１８を湾曲部１４に湾曲させる。
【００２６】
画像処理ユニット２０は、操作部２１、画像処理用記憶部（本発明の記憶部に相当する。）２２、画像入力部２３、画像処理部２４、信号入出力部（本発明の出力部に相当する。）２５、及び画像処理用制御部２６を備える。
【００２７】
操作部２１は、撮像素子１８の曲率の適値を算出する適値算出処理の開始指示や撮影の開始指示を受け付けて、各種操作信号を画像処理用制御部２６へ出力する。
【００２８】
画像処理用記憶部２２は、レンズ１９の識別情報と撮像素子１８の曲率情報とを対応付けて記憶する。なお、画像処理ユニット２０の画像処理用記憶部２２とカメラユニット１０のカメラ用記憶部１５とは、一つの記憶部で構成してもよい。
【００２９】
画像入力部２３は、データ線を介して接続されているカメラユニット１０の画像出力部１２から、撮像部１１が撮像した撮像画像が入力される。
【００３０】
画像処理部２４は、画像入力部２３に入力された撮像画像を処理する。図３に示すように画像処理部２４は、適値算出処理時に、推定用撮像画像３３から、撮像素子１８の中心部に位置する基準領域３１に投影された基準画像３０にかかる撮像画像と、撮像素子１８の周辺部に位置する複数の判断領域３２Ａ〜３２Ｈに投影された基準画像３０にかかる撮像画像と、を取得する。画像処理部２４は、判断領域３２Ａ〜３２Ｈ毎に、判断領域に投影された基準画像３０にかかる撮像画像と、基準領域３１に投影された基準画像３０にかかる撮像画像と、の類似度を算出する。推定用撮像画像３３は、撮像素子１８の曲率の補正値の算出に用いる基準画像３０が所定位置に複数含まれる画像である。
【００３１】
信号入出力部２５は、信号線を介して接続されているカメラユニット１０の信号入出力部１６と、曲率情報や識別情報や制御信号等の各種信号を送受信する。
【００３２】
画像処理用制御部２６は、画像処理ユニット２０の各機能部とカメラユニット１０のカメラ用制御部１７とを制御する。例えば、画像処理用制御部２６は、撮像素子１８の曲率が適正であるか否かの判定や、撮像素子１８の曲率の補正値の算出を行う。画像処理用制御部２６は、本発明における判定部と補正値算出部とに係る構成を有する。なお、画像処理ユニット２０の画像処理用制御部２６とカメラユニット１０のカメラ用制御部１７とは、一つの制御部で構成してもよい。
【００３３】
画像処理用制御部２６及びカメラ用制御部１７における適値算出処理について説明する。なお、Ｓ１７、Ｓ１８、Ｓ２２、Ｓ２３の処理は、それぞれ本発明の画像処理ステップ、判定ステップ、補正値算出ステップ、出力ステップに相当する。
【００３４】
まず、操作者は、撮像装置１００の電源が投入された状態で、一例として図３（Ａ）に示す基準画像３０を印刷した用紙やパネル等の複数の被写体を撮像部１１の撮影エリア内の所定位置に配置する。この時、操作者は、撮像部１１が撮像した推定用撮像画像を見て、被写体を所定位置に配置する。
【００３５】
所定位置は、図３（Ｂ）に示すように、撮像素子１８の中心部に位置する基準領域３１と、外周部に位置する複数の判断領域３２Ａ〜３２Ｈと、を含む。また、複数の判断領域３２Ａ〜３２Ｈのそれぞれは、一対を成す他の判断領域と撮像素子１８の中央を通過する一直線上で点対象となる位置に配置されている。撮像素子１８の撮像面１８１において、複数の判断領域３２Ａ〜３２Ｈは、それぞれ湾曲部１４の圧電素子１４Ａ〜１４Ｈと同じ位置に配置されている。
【００３６】
なお、複数の判断領域３２Ａ〜３２Ｈのそれぞれには、同一の基準画像３０が投影されるようにしたが、基準画像３０の一部の画像や、基準画像３０を拡大又は縮小した画像が投影されてもよい。
【００３７】
次に、操作者は、操作部２１を操作して、適値算出処理の開始指示を選択する。図４に示すように、画像処理用制御部２６は、操作部２１から、適値算出処理の開始指示を示す操作信号が入力されると（Ｓ１１）、曲率の補正値の算出回数をカウントするカウント値を０にリセットして（Ｓ１２）、信号入出力部２５を介して、レンズ１９の識別情報の出力指示をカメラ用制御部１７に出力する（Ｓ１３）。
【００３８】
図５に示すように、カメラ用制御部１７は、信号入出力部１６を介して、レンズ１９の識別情報の出力指示が入力されると（Ｓ３１）、レンズ１９の識別情報を識別情報取得部１３に取得させる（Ｓ３２）。カメラ用制御部１７は、信号入出力部１６を介して、識別情報取得部１３が取得した識別情報を画像処理用制御部２６へ出力する（Ｓ３３）。
【００３９】
図４に示すように、画像処理用制御部２６は、信号入出力部２５を介して、識別情報が入力されると（Ｓ１４）、画像入力部２３から推定用撮像画像３３を取得する（Ｓ１５）。画像処理用制御部２６は、取得した推定用撮像画像３３を複数の領域に分割して、撮像素子１８の中心部に位置する基準領域３１、及び外周部に位置する複数の判断領域３２Ａ〜３２Ｈを画像処理部２４に取得させる（Ｓ１６）。画像処理用制御部２６は、取得した判断領域３２Ａ〜３２Ｈ毎に、判断領域に投影した基準画像３０にかかる撮像画像と、基準領域３１に投影した基準画像３０にかかる撮像画像と、の類似度を画像処理部２４に算出させる（Ｓ１７）。類似度は、例えば、判断領域３２Ａ〜３２Ｈに投影した基準画像３０にかかる撮像画像と基準領域３１に投影した基準画像３０にかかる撮像画像とにおいて、画素単位で比較して画素の差分値を算出し、画素の差分値の二乗の平均値を算出することで、求めることができる。
【００４０】
画像処理用制御部２６は、判断領域３２Ａ〜３２Ｈ毎に算出した類似度に基づいて、レンズ１９に対する撮像素子１８の曲率が適正であるかどうかを判定する（Ｓ１８）。画像処理用制御部２６は、算出した類似度が予め定めた閾値に達していない判断領域の総数が、所定数（１，２，３等の自然数の値）を超える場合に、レンズ１９に対する撮像素子１８の曲率が適正でないと判定する。
【００４１】
画像処理用制御部２６は、適正であると判定した場合に、レンズ１９の識別情報と現時点での撮像素子１８の曲率を示す曲率情報とを対応付けて画像処理用記憶部２２に記憶する（Ｓ１９）。
【００４２】
また、画像処理用制御部２６は、適正でないと判定した場合に、カウント値が所定回数Ｎ以上か否かを判断する（Ｓ２０）。画像処理用制御部２６は、カウント値が所定回数Ｎ以上の場合に、エラーメッセージを出力して適値算出処理を終了する（Ｓ２１）。
【００４３】
画像処理用制御部２６は、カウント値が所定回数Ｎ未満の場合に、判断領域３２Ａ〜３２Ｈ毎に算出した類似度に基づいて、撮像素子１８の曲率の補正値を算出して（Ｓ２２）、信号入出力部２５を介して、曲率の補正値を示す曲率情報の設定指示をカメラ用制御部１７に出力する（Ｓ２３）。画像処理用制御部２６は、カウンタ値を１増加して（Ｓ２４）、Ｓ１５の処理へ戻る。図５に示すように、カメラ用制御部１７は、信号入出力部１６を介して、曲率情報の設定指示が入力されると（Ｓ３４）、曲率情報が示す曲率で撮像素子１８を湾曲部１４に湾曲させる（Ｓ３５）。なお、Ｓ２２の処理で算出した曲率の補正値は、撮像素子１８の曲率を示すが、現時点での撮像素子１８の曲率に対する補正量を示してもよい。
【００４４】
以上のように、画像処理ユニット２０は、撮像素子１８によって実際に投影された推定用撮像画像３３に基づいて曲率の補正値を算出し、算出した曲率の補正値で撮像素子１８を湾曲させることで、レンズ１９に応じて、像面収差等が十分に抑えられる撮像素子１８の曲率の適値を得ることができる。また、撮像装置１００は、使用するレンズ１９の種類に関係なく、像面収差等を十分に抑えた撮像画像を得ることができる。
【００４５】
なお、上述の適値算出処理では、Ｓ２１の処理において、エラーメッセージを出力して、適値算出処理を終了した。しかし、Ｓ２２の処理で曲率を算出する都度、判断領域３２Ａ〜３２Ｈ毎に算出した類似度とその時点での撮像素子１８の曲率とを対応付けて一時記憶しておき、Ｓ２１の処理で、所定回数Ｎのそれぞれにおける判断領域３２Ａ〜３２Ｈ毎に算出した類似度に基づいて、所定回数Ｎのそれぞれにおける曲率の補正値の中から最も適正な曲率を判定し、画像処理用記憶部２２に記憶してもよい。例えば、所定回数Ｎのそれぞれにおける最も低い類似度をそれぞれ比較し、比較したこれらの類似度の中から最も高い類似度に対応する曲率を画像処理用記憶部２２に記憶してもよい。また、所定回数Ｎのそれぞれにおいて判断領域３２Ａ〜３２Ｈ毎に算出した類似度の平均値を算出し、これらの類似度の平均値の中から、最も平均値が高い判断領域３２Ａ〜３２Ｈ毎に算出した類似度に対応する曲率を画像処理用記憶部２２に記憶してもよい。これにより、画像処理ユニット２０は、曲率の補正値を所定回数Ｎ算出しても、適正な曲率の補正値を求めることができない場合であっても、所定回数Ｎにおいて算出した曲率の補正値の中から最も適正な曲率を適値とすることができる。
【００４６】
また、適値算出処理時おいて、画像処理用制御部２６は、１回目の曲率の補正値の算出時に、レンズ１９に対する撮像素子１８の曲率の理論値（レンズ１９の中心から撮像素子１８までの焦点距離を一定にする撮像素子１８の曲率）で湾曲させた撮像素子１８によって撮像した推定用撮像画像３３を用いてもよい。画像処理用制御部２６は、理論値で湾曲させた撮像素子１８を用いて曲率の適値を算出することで、湾曲していない撮像素子１８を用いて曲率の適値を算出するよりも、少ない回数で曲率の適値を得ることができる。
【００４７】
また、適値算出処理は、図６に示すように、レンズ１９の交換時にも行われることがある。図６に示すように、画像処理ユニット２０の画像処理用制御部２６は、レンズ１９が交換されると（Ｓ４１）、信号入出力部２５を介して、新たに装着したレンズ１９の識別情報の出力指示をカメラ用制御部１７に出力する（Ｓ４２）。画像処理用制御部２６は、信号入出力部２５を介して、識別情報が入力されると（Ｓ４３）、画像処理用記憶部２２の記憶内容を参照して、識別情報に対応付けられた曲率の取得を試みる（Ｓ４４）。画像処理用制御部２６は、曲率が取得できた場合に、信号入出力部２５を介して、取得した曲率を示す曲率情報の設定指示をカメラ用制御部１７に出力し（Ｓ４５）、処理を終了する。また、画像処理用制御部２６は、曲率が取得できない場合に、上述した適値算出処理を行う（Ｓ４６）。
【００４８】
以上より、画像処理ユニット２０は、レンズ１９の交換時において、新たに装着したレンズ１９に対する曲率が画像処理用記憶部２２に記憶されている場合に、即座に曲率の適値を得ることができる。また、画像処理ユニット２０は、新たに装着したレンズ１９に対する曲率が画像処理用記憶部２２に記憶されていない場合に、適値算出処理を行うことで、曲率の適値を得ることができる。
【００４９】
なお、撮像素子１８を湾曲させる湾曲部１４の構成は、先行技術文献に記載された方法であってもよい。また、撮像装置１００は、動画を撮像したが、静止画を撮像してもよい。
【００５０】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５１】
１０…カメラユニット
１８…撮像素子
１９…レンズ
２０…画像処理ユニット
２３…画像入力部
２４…画像処理部
２５…信号入出力部
２６…画像処理用制御部
【図１】
2014135660.tif 000003
【図２】
2014135660.tif 000004
【図３】
2014135660.tif 000005
【図４】
2014135660.tif 000006
【図５】
2014135660.tif 000007
【図６】
2014135660.tif 000008